(57)【要約】【課題】内容物がこぼれ出しにくく、剛性に優れ、蓋を嵌合させて係止できる紙製トレイを提供する。【解決手段】底板１の周囲各辺に側板２を連設し、側板２の上端となる端辺に内折片３及び外折片４を順次連設し、底板１から側板２を起立させて、その起立状態を維持し、側板２から内折片３を内側へ折り曲げ、内折片３から外折片４を上方外側へ折り返して、重なり合った内折片３と外折片４とが側板２の上端から内側へ迫り出す積層内鍔部６を形成する。積層内鍔部６により、内容物のこぼれ出しを防止できると共に、剛性が高くなって形状が安定したものとなり、重量のある内容物の収納にも対応できるほか、側板２の上端より外側へ迫り出した外折片４の外鍔部４ａに蓋を嵌合させて係止することもできる。【選択図】図２
2015174661.tif 000002
【特許請求の範囲】
【請求項１】
底板(1)の周囲各辺に側板(2)を連設し、側板(2)の上端となる端辺に内折片(3)及び外折片(4)を順次連設し、底板(1)から側板(2)を起立させて、その起立状態を維持し、側板(2)から内折片(3)を内側へ折り曲げ、内折片(3)から外折片(4)を上方外側へ折り返して、重なり合った内折片(3)と外折片(4)とが側板(2)の上端から内側へ迫り出す積層内鍔部(6)を形成するようにした紙製トレイ。
【請求項２】
前記側板(2)に連なる外折片(4)に、側板(2)の上端より外側へ迫り出す外鍔部(4a)を設けたことを特徴とする請求項１に記載の紙製トレイ。
【請求項３】
前記外折片(4)の外鍔部(4a)の両側に、側板(2)の上端より側方へ延びる延長部(4b)を設け、隣り合う外折片(4)の延長部(4b)同士を重ねて貼り合わせたことを特徴とする請求項２に記載の紙製トレイ。
【発明の詳細な説明】
【技術分野】
【０００１】
この発明は、惣菜や生菓子等の食品の収納に適した紙製トレイに関するものである。
【背景技術】
【０００２】
従来、下記特許文献１には、図６に示すように、底板５１の周囲に連設した各一対の側板５２，５３を起立させ、隣り合う側板５２，５３同士を繋ぐ連結片５４を一方の側板５２から他方の側板５３の外面に折り重ねて貼り付け、側板５２，５３の起立状態を維持する紙製トレイにおいて、側板５２，５３の上端に内折片５５を連設し、側板５２，５３から内折片５５を内側へ折り曲げたものが記載されている。
【０００３】
このような紙製トレイでは、内容物の収納後、樹脂フィルムによりタイトラップ包装を施す際、内折片５５が樹脂フィルムの巻付力に対抗するので、変形が防止され、また、内折片５５により、トレイを傾けたとき等における内容物のこぼれ出しも防止される。
【先行技術文献】
【特許文献】
【０００４】
【特許文献１】特許第４７７５０８５号公報
【発明の概要】
【発明が解決しようとする課題】
【０００５】
しかしながら、上記のような紙製トレイでは、内容物が重いものである場合、内折片５５による補強効果が十分でなく、変形することがあった。
【０００６】
また、外周に鍔状の部分がなく、プラスチック成型品等の蓋を嵌合させる場合、不意に外れないように係止することができないという問題もあった。
【０００７】
そこで、この発明は、内容物がこぼれ出しにくく、剛性に優れ、蓋を嵌合させて係止できる紙製トレイを提供することを課題とする。
【課題を解決するための手段】
【０００８】
上記のような課題を解決するため、この発明に係る紙製トレイは、底板の周囲各辺に側板を連設し、側板の上端となる端辺に内折片及び外折片を順次連設し、底板から側板を起立させて、その起立状態を維持し、側板から内折片を内側へ折り曲げ、内折片から外折片を上方外側へ折り返して、重なり合った内折片と外折片とが側板の上端から内側へ迫り出す積層内鍔部を形成するようにしたのである。
【０００９】
また、嵌合させた蓋の係止等を可能とするため、前記側板に連なる外折片に、側板の上端より外側へ迫り出す外鍔部を設けたのである。
【００１０】
さらに、剛性向上のため、前記外折片の外鍔部の両側に、側板の上端より側方へ延びる延長部を設け、隣り合う外折片の延長部同士を重ねて貼り合わせたのである。
【発明の効果】
【００１１】
この紙製トレイでは、内折片と外折片とが重なり合って側板の上端から内側へ迫り出す積層内鍔部により、内容物のこぼれ出しを防止できると共に、剛性が高くなって形状が安定したものとなり、重量のある内容物の収納にも対応できるほか、側板の上端より外側へ迫り出した外折片の外鍔部に蓋を嵌合させて係止することもできる。
【図面の簡単な説明】
【００１２】
【図１】この発明の第１実施形態に係る紙製トレイのブランクを示す図
【図２】同上の組立状態を示す斜視図
【図３】図２のIII−III線における断面図
【図４】この発明の第２実施形態に係る紙製トレイのブランクを示す図
【図５】同上の組立状態を示す斜視図
【図６】従来の紙製トレイの組立状態を示す斜視図
【発明を実施するための形態】
【００１３】
まず、この発明の第１実施形態を図１〜図３に基づいて説明する。
【００１４】
このトレイは、図１に示すような板紙製のブランクから組み立てられる。このブランクでは、正方形状の底板１の周囲各辺に、組立状態で上広がりとなる逆台形状の側板２が折目線を介して連設され、側板２の上端となる端辺に内折片３及び外折片４が折目線を介して順次連設されている。隣り合う側板２同士は、三角形状の連結片５により連結され、連結片５には、底板１の角と向き合う角を二等分する折目線が入れられている。
【００１５】
内折片３と外折片４の境界の折目線は、側板２と内折片３の境界の折目線に沿った折り曲げとは逆方向の谷折りが可能となるように、押罫と切目とが交互に断続するリード罫とされている。
【００１６】
外折片４は、内折片３よりも連設方向の寸法が大きく、組立時に内折片３と重なる外折片４の内側部分は、内折片３と共に積層内鍔部６とされ、外折片４の積層内鍔部６となる部分より外側が外鍔部４ａとされている。外折片４における外鍔部４ａの両側には、側板２の上端となる端辺より側方へ延びる延長部４ｂが設けられている。
【００１７】
積層内鍔部６の両側縁は、組立時に隣り合う積層内鍔部６との干渉を回避するため、内折片３と外折片４の境界へかけて谷となるように斜め４５°に切断されている。
【００１８】
このようなブランクからトレイを組み立てる際には、図２及び図３に示すように、底板１から側板２を起立させ、連結片５を二つ折りにしつつ、隣り合う側板２の一方から他方へ折り曲げて、他方の側板２の外面に貼り付ける。
【００１９】
そして、側板２から内折片３を内側へ折り曲げ、内折片３から外折片４を上方外側へ折り返して、重なり合った内折片３と外折片４により、側板２の上端から内側へ迫り出す積層内鍔部６を形成すると共に、外鍔部４ａが側板２の上端より外側へ迫り出すようにし、隣り合う外折片４の延長部４ｂ同士を重ねて貼り合わせる。
【００２０】
上記紙製トレイでは、内折片３と外折片４とが重なり合って側板２の上端から内側へ迫り出す積層内鍔部６により、トレイを傾けたときや内容物をスプーンで掬い出す際の内容物のこぼれ出しを防止できると共に、剛性が高くなって形状が安定したものとなり、重量のある内容物の収納にも対応できるようになる。
【００２１】
例えば、内容物をスプーンで掬い出す際、従来の紙製トレイのように、側板の上端から単に内折片を折り曲げるものに比べて、側板２の内面側からスプーンで外側へ押された場合の変形に対する抵抗力が大きくなり、側板２が外側へ逃げるように変形しないので、スプーンでの内容物の掬い出しが容易になる。
【００２２】
さらに、隣り合う外折片４の延長部４ｂ同士を重ねて貼り合わせているので、外折片４の周方向角部における角度が固定され、外折片４が周方向に一体化されて、剛性が一層向上し、スプーンで内容物を掬い出す際、内容物の溢れを確実に防止することができる。
【００２３】
また、外折片４に側板２の上端より外側へ迫り出す外鍔部４ａを設けているので、外鍔部４ａにプラスチック成型品等の蓋を嵌合させて、不意に外れないように係止し、密閉性の高い包装とすることもできる。
【００２４】
そのほか、材料にラミネート紙を使用して、ラミネート面が内容物の収納空間の内面となるようにした場合、外折片４においてラミネート面が上面となるので、ラミネートした樹脂の熱溶着性を利用し、樹脂フィルムを被せてシールすることもできる。
【００２５】
なお、上記実施形態では、全ての側板２に積層内鍔部６を形成したものを例示したが、内容物や使用状況に応じて、少なくとも１枚の側板２に内折片３及び外折片４を順次連設し、積層内鍔部６を形成すればよい。
【００２６】
例えば、図４及び図５に示す第２実施形態のように、一組の対向する側板２にのみ積層内鍔部６を形成するようにして、他の側板２には、内折片３を介することなく、外鍔部４ａをなす外折片４を直接連設するようにしてもよい。
【００２７】
また、蓋を嵌合させる必要がない場合には、外折片４の外鍔部４ａ及び延長部４ｂを省略してもよい。この場合、外折片４の両側縁を斜め４５°に切断することなく、隣り合う外折片４の両側部同士を貼り合わせるようにするとよい。
【００２８】
また、底板１が正方形状のものを例示したが、底板１は、長方形のほか、三角形や六角形等、他の多角形状であってもよい。
【符号の説明】
【００２９】
１  底板
２  側板
３  内折片
４  外折片
４ａ  外鍔部
４ｂ  延長部
５  連結片
６  積層内鍔部
【図１】
2015174661.tif 000003
【図２】
2015174661.tif 000004
【図３】
2015174661.tif 000005
【図４】
2015174661.tif 000006
【図５】
2015174661.tif 000007
【図６】
2015174661.tif 000008